(57)【要約】【課題】本発明は、開封部分を判別し易く、暗所においても所望の大きさの香料の揮散開口を容易に得ることのできる、香料を含浸した担体を封入した香料袋を提供する。【解決手段】少なくとも一方が延伸フィルム層を含むシート部材である表裏一対のシート部材１１，１１の周縁部１２を接合してなり、内部に香料を含浸した担体１４が封入され、延伸フィルム層を含む一方のシート部材１１を切り裂いて開封することにより数時間〜１週間程度の短期間の使用に供される香料袋１０であって、周縁部１２から延伸フィルム層の延伸方向外側に突出して、延伸フィルム層を含むシート部材１１と一体として形成された摘み部１５が設けられている。【選択図】図１
2010201192.tif 000002
【特許請求の範囲】
【請求項１】
少なくとも一方が延伸フィルム層を含むシート部材である表裏一対のシート部材の周縁部を接合してなり、内部に香料を含浸した担体が封入され、前記延伸フィルム層を含むシート部材を切り裂いて開封することにより数時間〜１週間程度の短期間の使用に供される、掌に納まる大きさの扁平な形状の香料袋であって、
前記周縁部から前記延伸フィルム層の延伸方向外側に突出して、前記延伸フィルム層を含むシート部材と一体として形成された摘み部が設けられている香料袋。
【請求項２】
前記摘み部は、一方のシート部材の周縁部からのみ突出して形成されている請求項１記載の香料袋。
【請求項３】
前記摘み部は、双方のシート部材の周縁部から各々突出して形成され、各摘み部は異なる形状で互いに重なり合って設けられている請求項１記載の香料袋。
【発明の詳細な説明】
【技術分野】
【０００１】
本発明は、表裏一対のシート部材の周縁部を接合してなり、内部に香料を含浸した担体が封入される香料袋に関する。
【背景技術】
【０００２】
本願出願人の出願に係る特願平１１−３３２４９号には、内部に揮発性の高い液体香料を含浸した担体を密封し、開封することによって数時間〜１週間程度の短期間の使用に適した芳香具が記載されている。この芳香具は、数週間から数ヶ月以上の長期にわたって使用できるように揮散性を極力抑制した芳香剤を使用していた従来の芳香具とは異なり、香料による香りを変化させないために、揮散し易い液体香料を使用し、しかも少量の液体香料を用いた数１０ｇ以下の軽量のものとして、短期間継続して香りを漂わせるものである。
【０００３】
短期間の使用を目的とする軽量の芳香具は、携帯に便利で且つ取り扱い易いことが好ましく、また特に開封作業を速やかに行って所望の大きさの揮散開口を容易に形成できることが望まれる。液体香料を含浸した担体を密封する袋としては、特開平１０−２３０９７１号公報（特許文献１）に開示されている、一枚のフィルムを折り畳んだり２枚のフィルムを重ねて周縁部を熱融着することにより密封状態とされ、袋の表面を手で引き剥がして開封する封入袋を用いることが考えられる。しかしこの封入袋では、開封部分が判別しにくく、例えば車内で夜間に使用する場合等、暗所で用いる場合には、所望の大きさの香料の揮散開口を得ることが困難になる場合がある。
【先行技術文献】
【特許文献】
【０００４】
【特許文献１】特開平１０−２３０９７１号公報
【発明の概要】
【発明が解決しようとする課題】
【０００５】
本発明は、開封部分を判別し易く、暗所においても所望の大きさの香料の揮散開口を容易に得ることのできる、香料を含浸した担体を封入した香料袋の提供を目的とする。
【課題を解決するための手段】
【０００６】
本発明は、少なくとも一方が延伸フィルム層を含むシート部材である表裏一対のシート部材の周縁部を接合してなり、内部に香料を含浸した担体が封入され、前記延伸フィルム層を含むシート部材を切り裂いて開封することにより数時間〜１週間程度の短期間の使用に供される、掌に納まる大きさの扁平な形状の香料袋であって、前記周縁部から前記延伸フィルム層の延伸方向外側に突出して、前記延伸フィルム層を含むシート部材と一体として形成された摘み部が設けられている香料袋を提供することにより、上記目的を達成したものである。
【０００７】
上記記載において、掌に納まる大きさとは、その平面形状が例えば縦３０〜９０ｍｍ、横３０〜９０ｍｍの領域に納まる大きさを意味する。また、扁平な形状とは、例えば１〜５ｍｍの厚さを有することを意味する。さらに、摘み部は、指で摘むのに適した大きさである、例えば縦５〜３０ｍｍ、横５〜３０ｍｍの大きさを有する。
【発明の効果】
【０００８】
本発明の香料を含浸した担体を封入した香料袋によれば、開封部分を判別し易く、暗所においても所望の大きさの香料の揮散開口を容易に形成することができる。
【図面の簡単な説明】
【０００９】
【図１】本発明の一実施形態に係る香料袋を示す正面図である。
【図２】本発明の一実施形態に係る香料袋の開封状態を示す正面である。
【図３】本発明の他の実施形態に係る香料袋を示す正面図である。
【発明を実施するための形態】
【００１０】
図１及び図２に示す本発明の好ましい実施形態に係る香料袋１０は、表裏一対のリンゴ形状のシート部材１１，１１の周縁部１２を接合して形成される、掌に納まる大きさの扁平な形状のコンパクトな香料袋であって、内部に香料を含浸した担体１４が封入されている。表裏一対のシート部材１１，１１は、いずれも延伸フィルム層を含み、揮散開口１３を形成すべき表側のシート部材１１（各図の表面側のシート部材）を切り裂いて開封することにより、香料を揮散させて数時間〜１週間程度の短期間の使用に供される。また、リンゴ形状の茎部には、周縁部１２から延伸フィルム層の延伸方向外側に突出して、表側のシート部材１１と一体として形成された摘み部１５が設けられている。
【００１１】
各シート部材１１，１１は、最内層のシーラント層を構成するフィルムと、揮発遮断層を構成するアルミフィルム或いはアルミ蒸着フィルムと、最外層を構成する強延伸ポリエチレンテレフタレートフィルムとからなる積層構造を備える。また、強延伸ポリエチレンテレフタレートフィルムは、そのリンゴ形状の対称軸方向である図１の上下方向に延伸され、この方向に引き裂き易いようになっている。各シート部材１１，１１は、最大幅が８０ｍｍ，高さが７０ｍｍの大きさのリンゴ形状となっていて、これらを重ね合わせてその周縁部１２を熱融着等によって５〜１０ｍｍの幅で接合することにより、内部に担体収容部１６を備えた掌に納まる大きさの香料袋が得られる。なお、最外層を構成する強延伸ポリエチレンテレフタレートフィルムの表面には、各種の模様や着色が適宜施され、香料袋１０の美観や趣きを向上させている。
【００１２】
担体収容部１６に封入される担体１４は、例えば縦１０ｍｍ，横３０ｍｍ，厚さ２ｍｍの大きさの矩形形状のろ紙からなり、かかる大きさの担体１４を封入することにより、香料袋１０は、１〜５ｍｍ程度の厚さの扁平な形状を備えることになる。担体１４には、液体香料として蒸気圧が４ＰＡ以上の香料を重量比で５０〜１００％含む揮散性に優れた香料が含浸されている。このような香料を使用することで、２〜３日から１週間程度の短期間一定の香りを持続させることができる。なお、短期間の使用なので、使用前の担体１４の重量を１〜１０ｇ程度の軽量とできる。
【００１３】
本実施形態によれば、表裏一対のシート部材１１，１１のうち、表側のシート部材１１のみから突出して、当該表側のシート部材１１と一体となった摘み部１５が形成されている。この摘み部１５は、指で摘み易い大きさである長さ１５ｍｍ，幅１０ｍｍの大きさを有し、また、リンゴ形状の中央の対称軸に沿った茎部として、周縁部１２から上方に向けて突出していることにより、その突出方向が、表側のシート部材１１に含まれる強延伸ポリエチレンテレフタレートフィルムの延伸方向と一致する。
【００１４】
本実施形態の香料袋１０によれば、未使用時においては、担体１４に含浸された香料は、特に揮発遮断層により揮散が遮断された状態で香料袋１０の内部に密封される。香料袋１０を開封して使用する際には、摘み部１５を指で摘み、周縁部１４と交差して強延伸ポリエチレンテレフタレートフィルムの延伸方向である図１の下方に向かって引き裂くことにより、図２に示すように、表側のシート部材１１の中央を横断して、直線状の揮発開口１３が形成される。強延伸ポリエチレンテレフタレートフィルムは延伸方向に切り裂かれ易いので、摘み部１５を下方に引くことにより、揮発開口１３を直線状にきれいに形成することができる。
【００１５】
本実施形態によれば、表側のシート部材１１から突出する摘み部１５が形成されていることにより、開封部分を判別し易く、暗所において香料袋１０を使用する場合でも、摘み部１５を摘んで表側のシート部材１１を切り裂くことにより、摘み部１５の幅に応じた所望の大きさの揮散開口１３を容易に開口形成し、短時間の使用に速やかに供することができる。また、摘み部１５は、表側のシート部材１１にのみ設けられているので、摘み部１５によって表側のシート部材１１を切り裂いた後は、図２に示すように周縁部１４から突出する部分は残らないので、すっきりした形状で使用に供することが可能になる。
【００１６】
揮散開口１３が形成された香料袋１０は、例えば裏側のシート部材１１の表面に塗着したアクリル系、合成ゴム系、熱硬化性ゴム系等の接着剤を介して、例えば車内の座席シート（繊維面）や住居内の家具や壁部分等に貼着設置して使用する。担体１４に含浸された液体香料は、その優れた揮散性によって、適度な香りを伴いながら、揮散開口１３を介して速やかに拡散し、雰囲気を迅速に改良する。数日〜１週間程度の期間その香りを変化させることなく液体香料を拡散させ、一定の香りを維持できなくなったら、香料袋１０を設置面より剥がして廃棄する。
【００１７】
なお、摘み部１５のシートを、アルミフィルムと、延伸ポリプロピレン（層間剥離タイプ）と、シーラント層の直鎖低密度ポリスチレンと、最外層の強延伸ポリエチレンテレフタレートフィルムとによって構成すれば、摘み部１５を引き裂いて揮発開口１３を形成する際に、層間剥離層の部分で剥離されて延伸ポリプロピレンと最内層のフィルムが揮発開口１３を覆って残置されることになり、液体香料を含浸した担体１４がむき出しになるのを防止して、手や物に直接香料が付くのを防ぎ、ポケットやハンドバックの中に入れておくことを可能にする。また揮発物透過性フィルムの種類を変えることにより、揮発量のコントロールをすることも可能になる。
【００１８】
図３は、本発明の他の実施形態に係る香料袋２０を示すものである。この実施形態によれば、リンゴ形状の中央の対称軸に沿った茎部において、表側のシート部材１１からは、長さ１０ｍｍ，幅８ｍｍの大きさの矩形形状の切り裂き用摘み部２１が、裏側のシート部材１１からは、長さ１５ｍｍ，幅１２ｍｍの大きさの、切り裂き用摘み部２１より大きな矩形形状の押さえ用摘み部２２が、周縁部１２から上方に向けて突出して各々設けられている。切り裂き用摘み部２１及び押さえ用摘み部２２は、茎部において異なる形状（大きさ）で互いに重なり合っていることにより、切り裂き用摘み部２１を更に容易に判別することが可能になる。すなわち、各シート部材１１，１１の表面は各種の模様や着色が施されている一方で、各シート部材１１，１１の裏面は着色等が施されていない素地の色のままなので、重なり合ったこれらの用摘み部２１，２２の形状（大きさ）が異なる場合には、これらの色の相違や形状の相違によって、切り裂き用摘み部２１をさらに確実に判別することができ、これによって所望の大きさの香料の揮散開口をさらに容易に形成することが可能になる。
【００１９】
そして、図３の香料袋２０によれば、一方の手で切り裂き用摘み部２１を摘み、他方の手で押さえ用摘み部２２を摘んで、切り裂き用摘み部２１を図３の下方に向かって引き裂くことにより、上記香料袋１０の場合と同様に、切り裂き用摘み部２１の幅に応じた揮発開口を直線状にきれいに形成することができる。また、切り裂き用摘み部２１の基端部両側に、周縁部１２に僅かに食い込ませて延伸方向に延長する基端部切り込み２３を設けておけば、切り裂き方向を延伸方向に案内しつつ揮発開口をさらにきれいに形成することが可能になる。
【００２０】
本発明は上記実施形態に限定されない。例えば、表裏一対のシート部材は必ずしも双方が延伸フィルム層を含むシート部材である必要はなく、切り裂かれる一方のシート部材のみが延伸フィルム層を含むものであれば良い。また、シート部材は、必ずしも左右対称な形状である必要はなく、摘み部は、必ずしもシート部材の中央から突出するものである必要はない。
【符号の説明】
【００２１】
１０，２０  香料袋
１１  シート部材
１２  周縁部
１３  揮散開口
１４  担体
１５  摘み部
１６  担体収容部
２１  切り裂き用摘み部
２２  押さえ用摘み部
２３  基端部切り込み
【図１】
2010201192.tif 000003
【図２】
2010201192.tif 000004
【図３】
2010201192.tif 000005
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
少なくとも一方が延伸フィルム層を含むシート部材である表裏一対の対称軸を有する形状のシート部材の周縁部を接合してなり、内部に香料を含浸した担体が封入され、前記延伸フィルム層を含むシート部材を切り裂いて開封することにより数時間〜１週間程度の短期間の使用に供される、掌に納まる大きさの扁平な対称軸を中央に有する形状の香料袋であって、
前記延伸フィルム層の延伸方向は前記対称軸の方向となっており、前記対称軸に沿って前記周縁部から前記延伸フィルム層の延伸方向外側に突出して、前記延伸フィルム層を含むシート部材と一体として形成された摘み部が設けられている香料袋。
【請求項２】
前記表裏一対の対称軸を有する形状のシート部材は、リンゴ形状のシート部材であり、前記リンゴ形状の前記対称軸に沿った茎部に、前記周縁部から前記延伸フィルム層の延伸方向外側に突出する摘み部が設けられている請求項１記載の香料袋。
【請求項３】
前記摘み部は、双方のシート部材の周縁部から各々突出して形成され、各摘み部は異なる形状で互いに重なり合って設けられている請求項１記載の香料袋。